【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
タッチスクリーン・デバイスであって：
スクリーンと；
タッチ感応性要素であって、該タッチ感応性要素の第一の部分は前記スクリーン内に配置され、該タッチ感応性要素の第二の部分は前記スクリーン外に配置される、タッチ感応性要素と；
前記スクリーンおよび前記タッチ感応性要素に結合されたプロセッサとを有しており、前記プロセッサは、前記スクリーンの第一の部分に第一の仮想キーを出力し、ユーザー入力に応答して、該第一の仮想キーを前記スクリーンの前記第一の部分から、前記第一の仮想キーが部分的に前記スクリーン上に表示され、前記タッチ感応性要素の前記第一の部分の第一の部分をカバーし、前記第一の仮想キーの不可視部分が前記タッチ感応性要素の前記第二の部分の第一の部分をカバーするような位置に動かし、前記第一の仮想キーの前記不可視部分は、たたかれたら、前記プロセッサに、ある特定の機能を実行させる、
タッチスクリーン・デバイス。
【請求項２】
前記タッチ感応性要素の前記第一の部分の前記第一の部分がたたかれたことを検出するのに応答して、前記プロセッサは前記特定の機能を実行する、請求項１記載のタッチスクリーン・デバイス。
【請求項３】
前記プロセッサは、前記第一の仮想キーを、前記第一の仮想キーの全体が不可視であり、前記タッチ感応性要素の前記第二の部分の第二の部分をカバーする位置に動かし、前記タッチ感応性要素の前記第二の部分の前記第二の部分がたたかれたことを検出するのに応答して、前記プロセッサは前記特定の機能を実行する、請求項１記載のタッチスクリーン・デバイス。
【請求項４】
前記プロセッサは、前記第一の仮想キーを含む仮想キーボードを出力し、前記仮想キーボードを、前記第一の仮想キーを含むいくつかの仮想キーが部分的に前記スクリーン上に表示され、前記タッチ感応性要素の前記第一の部分にはいり、前記いくつかの仮想キーの不可視部分が前記タッチ感応性要素の前記第二の部分にはいるような位置に動かす、請求項１記載のタッチスクリーン・デバイス。
【請求項５】
前記タッチ感応性要素の前記第一の部分の前記第一の部分がたたかれるのを検出するのに応答して、前記プロセッサは前記特定の機能を実行する、請求項４記載のタッチスクリーン・デバイス。
【請求項６】
前記タッチ感応性要素の前記第二の部分の前記第一の部分がたたかれるのを検出するのに応答して、前記プロセッサは前記特定の機能を実行する、請求項４記載のタッチスクリーン・デバイス。
【請求項７】
前記プロセッサは、前記仮想キーボードを、前記いくつかの仮想キーが完全に不可視であり前記タッチ感応性要素の前記第二の部分にはいるような位置に動かす、請求項４記載のタッチスクリーン・デバイス。
【請求項８】
前記第一の仮想キーが前記タッチ感応性要素の前記第二の部分の第二の部分をカバーし、前記タッチ感応性要素の前記第二の部分の前記第二の部分がたたかれるのを検出するのに応答して、前記プロセッサは前記特定の機能を実行する、請求項７記載のタッチスクリーン・デバイス。
【請求項９】
前記第一および第二の部分は連続的な仕方で互いに隣り合っている、請求項１記載のタッチスクリーン・デバイス。
【請求項１０】
前記第一および第二の部分は連続していない、請求項１記載のタッチスクリーン・デバイス。
【請求項１１】
前記スクリーンは前記タッチスクリーン・デバイスの第一の側に位置しており、前記第二の部分は前記タッチスクリーン・デバイスの、前記第一の側以外の第二の側に位置している、請求項１０記載のタッチスクリーン・デバイス。
【請求項１２】
前記第二の部分は第二のキーを含み、前記プロセッサは前記第二の側にある前記第二のキーの位置を示す第三のキーを前記スクリーン上に表示する、請求項１１記載のタッチスクリーン・デバイス。
【請求項１３】
前記第二および第三のキーの一方がたたれるとき、前記プロセッサは前記第二のキーに割り当てられている第二の機能を実行する、請求項１２記載のタッチスクリーン・デバイス。
【請求項１４】
スクリーンおよびタッチ感応性要素を有するタッチスクリーン・デバイス上に複数のキーを含む仮想キーボードを呈示する方法であって、前記タッチ感応性要素の第一の部分は前記スクリーン内に配置され、前記タッチ感応性要素の第二の部分は前記スクリーン外に配置され、当該方法は：
前記仮想キーボードを呈示する段階であって、前記仮想キーボードの全体が前記スクリーン上に表示され、前記タッチ感応性要素の前記第一の部分にはいる、段階と；
前記仮想キーボードを、前記仮想キーボードの第一のキーを含むいくつかのキーが前記スクリーン上に部分的に表示されて可視であり、前記いくつかのキーの前記可視の部分は前記タッチ感応性要素の前記第一の部分にはいり、前記いくつかのキーの不可視部分は前記タッチ感応性要素の前記第二の部分にはいり、前記第一のキーが前記タッチ感応性要素の前記第一の部分の第一の部分および前記タッチ感応性要素の前記第二の部分の第一の部分をカバーするような位置に動かす段階と；
前記第一のキーの前記不可視部分に割り当てられた特定の機能を実行する段階とを含む、
方法。
【請求項１５】
前記実行する段階は、前記タッチ感応性要素の前記第一の部分の前記第一の部分および前記タッチ感応性要素の前記第二の部分の前記第一の部分のうちの一方がたたかれることが検出される場合に実行される、請求項１４記載の方法。
【請求項１６】
前記動かす段階は、前記仮想キーボードを、前記いくつかの仮想キーが完全に不可視であり、前記タッチ感応性要素の前記第二の部分にはいるような位置に動かし、前記第一のキーが前記タッチ感応性要素の前記第二の部分の第二の部分をカバーし、前記タッチ感応性要素の前記第二の部分の前記第二の部分がたたかれることが検出される場合に、前記実行する段階が実行される、請求項１４記載の方法。
【請求項１７】
前記スクリーンは前記タッチスクリーン・デバイスの第一の側に位置されており、前記タッチ感応性要素の前記第二の部分は、前記第一の側以外の、前記タッチ感応性要素の第二の側に位置されており、前記タッチ感応性要素の前記第二の部分は第二のキーを含み、当該方法はさらに、前記第二の側における前記第二のキーの位置を示す第三のキーを前記スクリーン上に表示する段階を含む、請求項１４記載の方法。
【請求項１８】
前記第二のキーがたたかれるときに、前記第二のキーに割り当てられた第二の機能を実行する段階を含む、請求項１７記載の方法。
【請求項１９】
前記第三のキーがたたかれるときに、前記第二のキーに割り当てられている第二の機能を実行する段階をさらに含む、請求項１８記載の方法。
【手続補正２】
【補正対象書類名】明細書
【補正対象項目名】０１００
【補正方法】変更
【補正の内容】
【０１００】
本発明は好ましい設計をもつものとして記述されてきたが、本発明は本開示の精神および範囲内でさらに修正されることができる。したがって、本案は、本発明の一般原理を使っての本発明の任意の変形、使用または適応をカバーすることが意図されている。さらに、本願は、本発明が属する技術分野において既知のまたは慣習的な実務の範囲内にはいりかつ付属の請求項の限界内にはいる本開示からの逸脱をカバーすることが意図されている。
いくつかの付記を記載しておく。
〔付記１〕
タッチスクリーン・デバイスであって：
スクリーンと；
タッチ感応性要素であって、該タッチ感応性要素の第一の部分は前記スクリーン内に配置され、該タッチ感応性要素の第二の部分は前記スクリーン外に配置される、タッチ感応性要素と；
前記スクリーンおよび前記タッチ感応性要素に結合されたプロセッサとを有しており、前記プロセッサは、前記スクリーンの第一の部分に第一の仮想キーを出力し、ユーザー入力に応答して、該第一の仮想キーを前記スクリーンの前記第一の部分から、前記第一の仮想キーが部分的に前記スクリーン上に表示され、前記タッチ感応性要素の前記第一の部分の第一の部分をカバーし、前記第一の仮想キーの不可視部分が前記タッチ感応性要素の前記第二の部分の第一の部分をカバーするような位置に動かし、前記第一の仮想キーは、たたかれたら、前記プロセッサに、ある特定の機能を実行させる、
タッチスクリーン・デバイス。
〔付記２〕
前記プロセッサは、前記タッチ感応性要素のどの要素がたたかれたかを示す信号を検出するよう動作する、付記１記載のタッチスクリーン・デバイス。
〔付記３〕
前記タッチ感応性要素の前記第一の部分の前記第一の部分がたたかれたことを検出するのに応答して、前記プロセッサは前記特定の機能を実行する、付記２記載のタッチスクリーン・デバイス。
〔付記４〕
前記タッチ感応性要素の前記第二の部分の前記第一の部分がたたかれたことを検出するのに応答して、前記プロセッサは前記特定の機能を実行する、付記２記載のタッチスクリーン・デバイス。
〔付記５〕
前記プロセッサは、前記第一の仮想キーを、前記第一の仮想キーの全体が不可視であり、前記タッチ感応性要素の前記第二の部分の第二の部分をカバーする位置に動かす、付記２記載のタッチスクリーン・デバイス。
〔付記６〕
前記タッチ感応性要素の前記第二の部分の前記第二の部分がたたかれたことを検出するのに応答して、前記プロセッサは前記特定の機能を実行する、付記５記載のタッチスクリーン・デバイス。
〔付記７〕
前記プロセッサは、前記第一の仮想キーを含む仮想キーボードを出力し、前記仮想キーボードを、前記第一の仮想キーを含むいくつかの仮想キーが部分的に前記スクリーン上に表示され、前記タッチ感応性要素の前記第一の部分にはいり、前記いくつかの仮想キーの不可視部分が前記タッチ感応性要素の前記第二の部分にはいるような位置に動かす、付記２記載のタッチスクリーン・デバイス。
〔付記８〕
前記タッチ感応性要素の前記第一の部分の前記第一の部分がたたかれるのを検出するのに応答して、前記プロセッサは前記特定の機能を実行する、付記７記載のタッチスクリーン・デバイス。
〔付記９〕
前記タッチ感応性要素の前記第二の部分の前記第一の部分がたたかれるのを検出するのに応答して、前記プロセッサは前記特定の機能を実行する、付記７記載のタッチスクリーン・デバイス。
〔付記１０〕
前記プロセッサは、前記仮想キーボードを、前記いくつかの仮想キーが完全に不可視であり前記タッチ感応性要素の前記第二の部分にはいるような位置に動かす、付記７記載のタッチスクリーン・デバイス。
〔付記１１〕
前記第一の仮想キーが前記タッチ感応性要素の前記第二の部分の第二の部分をカバーし、前記タッチ感応性要素の前記第二の部分の前記第二の部分がたたかれるのを検出するのに応答して、前記プロセッサは前記特定の機能を実行する、付記１０記載のタッチスクリーン・デバイス。
〔付記１２〕
前記仮想キーボードが複数の行を有しており、前記いくつかのキーは前記行のうちの一つの行内に配置されるものである、付記７記載のタッチスクリーン・デバイス。
〔付記１３〕
前記第一および第二の部分は連続的な仕方で互いに隣り合っている、付記１記載のタッチスクリーン・デバイス。
〔付記１４〕
前記第一および第二の部分は連続していない、付記１記載のタッチスクリーン・デバイス。
〔付記１５〕
前記スクリーンは前記タッチスクリーン・デバイスの第一の側に位置しており、前記第二の部分は前記タッチスクリーン・デバイスの、前記第一の側以外の第二の側に位置している、付記１４記載のタッチスクリーン・デバイス。
〔付記１６〕
前記第二の部分は第二のキーを含み、前記プロセッサは前記第二の側にある前記第二のキーの位置を示す第三のキーを前記スクリーン上に表示する、付記１５記載のタッチスクリーン・デバイス。
〔付記１７〕
前記第二および第三のキーの一方がたたれるとき、前記プロセッサは前記第二のキーに割り当てられている第二の機能を実行する、付記１６記載のタッチスクリーン・デバイス。
〔付記１８〕
スクリーンおよびタッチ感応性要素を有するタッチスクリーン・デバイス上に複数のキーを含む仮想キーボードを呈示する方法であって、前記タッチ感応性要素の第一の部分は前記スクリーン内に配置され、前記タッチ感応性要素の第二の部分は前記スクリーン外に配置され、当該方法は：
前記仮想キーボードを呈示する段階であって、前記仮想キーボードの全体が前記スクリーン上に表示され、前記タッチ感応性要素の前記第一の部分にはいる、段階と；
ユーザー入力に応答して、前記仮想キーボードを、前記仮想キーボードの第一のキーを含むいくつかのキーが前記スクリーン上に部分的に表示されて可視であり、前記いくつかのキーの前記可視の部分は前記タッチ感応性要素の前記第一の部分にはいり、前記いくつかのキーの不可視部分は前記タッチ感応性要素の前記第二の部分にはいり、前記第一のキーが前記タッチ感応性要素の前記第一の部分の第一の部分および前記タッチ感応性要素の前記第二の部分の第一の部分をカバーするような位置に動かす段階と；
前記第一のキーがたたかれるとき、前記第一のキーに割り当てられた特定の機能を実行する段階とを含む、
方法。
〔付記１９〕
前記仮想キーボードが複数の行を有しており、前記いくつかのキーは前記行のうちの一つの行内に配置されるものである、付記１８記載の方法。
〔付記２０〕
前記実行する段階は、前記タッチ感応性要素の前記第一の部分の前記第一の部分および前記タッチ感応性要素の前記第二の部分の前記第一の部分のうちの一方がたたかれることが検出される場合に実行される、付記１９記載の方法。
〔付記２１〕
前記動かす段階は、前記仮想キーボードを、前記いくつかの仮想キーが完全に不可視であり、前記タッチ感応性要素の前記第二の部分にはいるような位置に動かす、付記１９記載の方法。
〔付記２２〕
前記第一のキーが前記タッチ感応性要素の前記第二の部分の第二の部分をカバーし、前記タッチ感応性要素の前記第二の部分の前記第二の部分がたたかれることが検出される場合に、前記実行する段階が実行される、付記２１記載の方法。
〔付記２３〕
前記スクリーンは前記タッチスクリーン・デバイスの第一の側に位置されており、前記タッチ感応性要素の前記第二の部分は、前記第一の側以外の、前記タッチ感応性要素の第二の側に位置されており、前記タッチ感応性要素の前記第二の部分は第二のキーを含み、当該方法はさらに、前記第二の側における前記第二のキーの位置を示す第三のキーを前記スクリーン上に表示する段階を含む、付記１８記載の方法。
〔付記２４〕
前記第二のキーがたたかれるときに、前記第二のキーに割り当てられた第二の機能を実行する段階を含む、付記２３記載の方法。
〔付記２５〕
前記第三のキーがたたかれるときに、前記第二のキーに割り当てられている第二の機能を実行する段階をさらに含む、付記２４記載の方法。